(57)【要約】【課題】設備コストの大幅な低減が図れると共に、効果的に樹木の株元に散水できて節水性に優れ、かつ短時間にかつ省力的に散水が行える。【解決手段】ブルーベリー株２が複数個植栽された畝（列）１の間に配設された幹線管１０と、幹線管１０が連結され水道管の水栓１１より水が供給される分配管１２と、幹線管１０よりブルーベリー株２の株元３の側方に伸び上方に向けて噴水孔２８が形成された枝管２０とを備えている。【選択図】      図１
2004313103.tif 000002
【特許請求の範囲】
【請求項１】
樹木が複数個植栽された列の間に配設された幹線管と、この幹線管が連結され水道管の水栓より水が供給される分配管と、前記幹線管より樹木の株元の側方に伸び上方に向けて噴水孔が形成された枝管とを備えたことを特徴とする樹木栽培園用灌水装置。
【請求項２】
前記幹線管は、樹木の列の間の１つ置きに配設され、前記枝管は、前記幹線管の両側の列の株元の側方にそれぞれ伸びて配設されていることを特徴とする請求項１記載の樹木栽培園用灌水装置。
【請求項３】
前記分配管及び前記幹線管は１６ｍｍ管よりなり、前記枝管は１３ｍｍ管よりなることを特徴とする請求項１記載の樹木栽培園用灌水装置。
【請求項４】
前記噴水孔は、直径が０．３〜０．７ｍｍで、株元を中心として該株元の両側部に前記枝管の中心より垂直線の両側に１０〜２０°の角度で形成されていることを特徴とする請求項１記載の樹木栽培園用灌水装置。
【請求項５】
前記幹線管の端部には、着脱自在にドレイン用キャップが装着されていることを特徴とする請求項１、２又は３記載の樹木栽培園用灌水装置。
【発明の詳細な説明】
【０００１】
【発明の属する技術分野】
本発明は、果樹等の樹木栽培に用いる灌水装置に関する。
【０００２】
【従来の技術】
従来、樹木栽培園用灌水装置として、一般的にスプリンクラー方式、灌水チューブ方式が用いられている。
【０００３】
スプリンクラー方式は、水を散水する複数個のスプリンクラー、水を貯留するタンク及びタンクより各スプリンクラーに水を送るポンプとを有している。そこで、タンクに貯留された水をポンプで各スプリンクラーに送り、スプリンクラーより樹木に散水する。
【０００４】
灌水チューブ方式は、等間隔に噴水孔が形成された灌水チューブを列（畝）の間に配設し、これらの灌水チューブは分配管にそれぞれバルブを介して連結し、分配管の一端を水道管の水栓にホースで連結している。そこで、散水する畝に該当する灌水チューブのバルブを開き、灌水チューブの噴水孔より樹木に散水する。
【０００５】
【発明が解決しようとする課題】
スプリンクラー方式は、タンク、ポンプ及びスプリンクラー等の設備を必要とするので、設備コストが高価となり、またメンテナンスの面でも問題になると共に、多量の水を必要とする等の問題があった。灌水チューブ方式は、灌水チューブに形成された噴水孔より散水するので、樹木の株元に効果的に散水されなくて無駄な散水が多く、節水性に問題があった。また散水する畝の灌水チューブのバルブを開いてその畝のみの散水を行うので、多くの畝に散水するには、多大の時間を要する。
【０００６】
本発明の課題は、設備コストの大幅な低減が図れると共に、効果的に樹木の株元に散水できて節水性に優れ、かつ短時間にかつ省力的に散水が行える樹木栽培園用灌水装置を提供することにある。
【０００７】
【課題を解決するための手段】
上記課題を解決するための本発明の請求項１は、樹木が複数個植栽された列の間に配設された幹線管と、この幹線管が連結され水道管の水栓より水が供給される分配管と、前記幹線管より樹木の株元の側方に伸び上方に向けて噴水孔が形成された枝管とを備えたことを特徴とする。
【０００８】
上記課題を解決するための本発明の請求項２は、上記請求項１において、前記幹線管は、樹木の列の間の１つ置きに配設され、前記枝管は、前記幹線管の両側の列の株元の側方にそれぞれ伸びて配設されていることを特徴とする。
【０００９】
上記課題を解決するための本発明の請求項２は、上記請求項１において、前記分配管及び前記幹線管は１６ｍｍ管よりなり、前記枝管は１３ｍｍ管よりなることを特徴とする。
【００１０】
上記課題を解決するための本発明の請求項２は、上記請求項１において、前記噴水孔は、直径が０．３〜０．７ｍｍで、株元を中心として該株元の両側部に前記枝管の中心より垂直線の両側に１０〜２０°の角度で形成されていることを特徴とする。
【００１１】
上記課題を解決するための本発明の請求項２は、上記請求項１において、前記幹線管の端部には、着脱自在にドレイン用キャップが装着されていることを特徴とする。
【００１２】
【発明の実施の形態】
本発明の樹木栽培園用灌水装置の一実施の形態を図１乃至図４により説明する。栽培園の一例として、ブルーベリー栽培園に適用した場合について説明する。畝１が等間隔（以下、畝間という）Ａで形成され、畝１には等間隔（以下、株間という）Ｂでブルーベリー株２が栽培されている。例えば、畝間Ａは３ｍで、株間Ｂも３ｍとなっている。なお、ブルーベリー株２の株元３は、一般的に４〜６本の幹が出ていて、ブッシュと呼んでいる。また図１には図の煩雑さを避けるために、１個の株元３を図示した。
【００１３】
本実施の形態においては、畝１の間には１つ置きに幹線管１０が配設されている。水道管の水栓１１が設けられた側における幹線管１０の一方の端部には分配管１２が配設されており、両端側の幹線管１０は、それぞれエルボ１３によって分配管１２に連結され、その他の幹線管１０は、チーズ１６によって分配管１２に連結されている。幹線管１０の他方の端部にはドレイン用キャップ１４が着脱自在に装着されている。分配管１２には水栓１１の方向に伸びた接続管１５がチーズ１６を介して連結されており、接続管１５は水栓１１に防藻ホース１７で接続されている。
【００１４】
幹線管１０には、該幹線管１０の両側の畝１のブルーベリー株２の株元３の側方に伸びた枝管２０が異径チーズ２１で連結されている。枝管２０は、図２及び図３に示すように、幹線管１０に連結された第１の枝管２２と、畝１の地表４に沿って配設された第２の枝管２３とからなり、第１の枝管２２と第２の枝管２３とは、エルボ２４、２５及び立上り管２６で連結されている。第２の枝管２３の端部には端末キャップ２７が着脱自在に装着されている。また第２の枝管２３には、株元３を中心として両側の２ヶ所にそれぞれ図４に示すように２個の小径の噴水孔２８が形成されている。噴水孔２８は、第２の枝管２３の中心より垂直線に対して角度θで形成されている。
【００１５】
次に作用について説明する。水栓１１の蛇口を回転させて水道水を防藻ホース１７に供給する。この防藻ホース１７に供給された水道水は、接続管１５、チーズ１６を通って分配管１２に供給される。分配管１２に供給された水道水は、各幹線管１０に分配されて各枝管２０に供給される。この枝管２０に供給された水道水は２個の噴水孔２８より図４に示すようにＶ字形に散水３０される。図２に示すように、噴水孔２８は、株元３を中心として該株元３の両側の第２の枝管２３の部分に形成されているので、株元３に効果的に無駄なく散水３０される。
【００１６】
本実施の形態においては、幹線管１０及び分配管１２は、それぞれ内径が１６ｍｍφの塩化ビニール管、枝管２０（第１及び第２の枝管２２、２３）は内径が１３ｍｍφの塩化ビニール管を使用した。また枝管２０の噴水孔２８は、直径が０．５ｍｍφで、角度θは１５°に形成した。
【００１７】
そして、水栓１１の蛇口を１／５回転させて前記したように水道水を供給したところ、噴水孔２８からの噴水高さは約３０ｃｍの状態で、１株当たり６リットル／時が計測された。この灌水は約３時間ほど要し、従来の方式に比べて格段に短時間かつ省力的に栽園全体の灌水が行える。また株元３の部分に効果的に散水３０され、節水性にも優れている。前記したように、水栓１１の蛇口の開放は１／５回転で十分であるが、全開にすると、噴水高さは約１．８ｍｍにも及び、節水・局部型灌水の状況は一転し、園内のクーラーシステムに変貌する。従って、暑い夏の摘み取り園ではお客に喜ばれるサービスとなる。
【００１８】
また幹線管１０の端部には着脱自在にドレイン用キャップ１４が装着されているので、冬季にはドレイン用キャップ１４を取り外して水抜きをすることができる。また幹線管１０及び第１の枝管２２上に樹皮マルチ又は藁等を厚さ５ｃｍ敷きつめ、若しくはナギナタガヤ草生では厚さ５ｃｍの土盛りをし、図３に示すように地表４とすることにより、防寒に対して一定の効果が得られた。また噴水孔２８の目詰まりは針金を差し込むことにより容易に対処できる。また図３に示すように、地表４より露出している第２の枝管２３の端部には着脱自在に端末キャップ２７が装着されているので、端末キャップ２７を取り外すことにより、第２の枝管２３の内部を掃除することができる。
【００１９】
なお、上記実施の形態は、ブルーベリー株２に適用した場合について説明したが、本実施の形態はこれに限定されるものではなく、広く一般の果樹に適用できることは言うまでもない。また株２が形成された列として、畝１が形成されている場合について説明したが、畝が特に形成されていない平坦な地表であってもよいことは勿論である。
【００２０】
また上記実施の形態においては、枝管２０の噴水孔２８は、直径が０．５ｍｍφで、角度θは１５°に形成したが、直径が０．３〜０．７ｍｍで、角度θは１０〜２０°の角度で形成しても良好な結果が得られた。
【００２１】
【発明の効果】
本発明は、樹木が複数個植栽された列の間に配設された幹線管と、この幹線管が連結され水道管の水栓より水が供給される分配管と、前記幹線管より樹木の株元の側方に伸び上方に向けて噴水孔が形成された枝管とを備えた構成よりなるので、設備コストの大幅な低減が図れると共に、効果的に樹木の株元に散水できて節水性に優れ、かつ短時間にかつ省力的に散水が行える。
【図面の簡単な説明】
【図１】本発明の樹木栽培園用灌水装置の一実施の形態を示す平面説明図である。
【図２】図１の幹線管と分配管の一部拡大平面図である。
【図３】図２の正面図である。
【図４】図２及び図３の枝管の噴水孔部分の断面拡大図である。
【符号の説明】
１    畝
２    ブルーベリー株
３    株元
１０    幹線管
１１    水栓
１２    分配管
１４    ドレイン用キャップ
１５    接続管
１７    防藻ホース
２０    枝管
２２    第１の枝管
２３    第２の枝管
２７    端末キャップ
２８    噴水孔
３０    散水
【図１】
2004313103.tif 000003
【図２】
2004313103.tif 000004
【図３】
2004313103.tif 000005
【図４】
2004313103.tif 000006